(57)【特許請求の範囲】
【請求項１】
居室の室内側と室外側とを仕切る外壁に設けた取り付け孔に既に設置された換気装置を取り外し、排気ダクトを通して室内の空気の排気を行う排気ダクト付き換気装置を設置する際に用いられる換気装置取替用ユニットであって、
前記取り付け孔を閉塞する閉塞板、および、前記排気ダクトの一部を構成し鍔部を具備する中継ダクトを備え、
前記閉塞板には、前記中継ダクトが前記室内側から前記室外側に貫通する中継ダクト貫通孔を具備し、さらに、
前記閉塞板には、前記鍔部に具備する被係止片を係止する係止部を備え、
前記中継ダクトが前記室内側から前記室外側に貫通して前記鍔部が前記閉塞板の前記室内側の表面に沿って配設された状態において、前記中継ダクトは、前記被係止片が前記係止部に係止されない第１位置から前記係止部による前記被係止片の係止が完了する第２位置に向けて、前記中継ダクトの外周を前記中継ダクト貫通孔の周縁に摺接しながら回動自在に構成され、
前記中継ダクトが前記第２位置に位置するときに前記鍔部の前記閉塞板からの離隔を牽制する離隔牽制手段を前記係止部に備え、
前記中継ダクトが前記第２位置に位置するときに前記中継ダクトの前記第２位置から前記第１の位置に向けての回動を牽制する回動牽制手段を備え、
前記鍔部の外形が略矩形であり、前記鍔部における４隅の角のうち少なくとも対角方向に対向する２箇所を含む角の近傍を前記被係止片とし、
前記閉塞板の前記室内側の表面から前記室内側に向けて立ち上がる立上り部と、前記立上り部から前記閉塞板の前記室内側の表面と沿う方向に延びる並行部と、を有する舌片を前記係止部とし、
前記４隅の角のうち３箇所の角の近傍を前記被係止片とし、前記回動牽制手段が、前記４隅の角のうちの前記３箇所の角を除いた角の近傍を前記鍔部に固定用ネジによって固定するものであることを特徴とする換気装置取替用ユニット。
【請求項２】
前記並行部の先端には、先端側ほど前記閉塞板からの距離が大となる舌片用傾斜部を設けて成ることを特徴とする請求項１記載の換気装置取替用ユニット。
【請求項３】
前記中継ダクトが前記第１位置から前記第２位置の間の途中位置に位置するときに前記係止部による前記被係止片の係止を開始してから、前記中継ダクトが前記第２位置に近づくにつれて前記被係止片を前記閉塞板の前記室内側の表面に向けて圧接する、被係止片用傾斜部を前記被係止片に設けて成ることを特徴とする請求項１または請求項２記載の換気装置取替用ユニット
【発明の詳細な説明】
【技術分野】
【０００１】
本発明は、プロペラファンを用いた既設の換気装置、たとえば、壁等に設置される換気扇を、多翼ファン（シロッコファン）、ターボファンを用いた、一般にレンジフードと呼ばれる、新設の換気装置に取り替える際に等に用いる換気装置取替用ユニットに関するものである。
【背景技術】
【０００２】
従来より、プロペラファンを用いた既設の換気装置を多翼ファン、ターボファンを用いた新設の換気装置に取り替える際に用いる換気装置取替用ユニットにおいて、金属製の塞ぎ板に金属製のダクトを取り付けた取替え具を備え、前記塞ぎ板を、外壁の取付孔に取り付けてある木枠に取り付けることで、前記ダクトが木枠内に挿入し、そのダクトの外周面と木枠の内周面との間の隙間が塞ぎ板で閉塞されるようにしたものが知られている（例えば、特許文献１参照）。
【０００３】
この従来例では、プロペラファンを用いた既設の換気装置（壁等に設置される換気扇）が据付けられていた木枠を残存させ、この木枠に、換気装置取替用ユニットの一部を構成する取替え具を取り付けるものであり、この取替え具は、木枠の開口部を閉塞する金属製の塞ぎ板と、この塞ぎ板に設けた金属製のダクトを有し、その塞ぎ板を木枠に固着して取り付けることで木枠の室内側の開口部を閉塞するとともに、ダクトが木枠内に挿入されるようにしてある。
【先行技術文献】
【特許文献】
【０００４】
【特許文献１】特開２０１０−２７６２９４号公報
【発明の概要】
【発明が解決しようとする課題】
【０００５】
しかしながら、前記特許文献１に示された従来例では、木枠の一辺の寸法が、プロペラファンを用いた既設の換気装置の寸法に合わせた寸法であることから、木枠の一辺の寸法は様々の寸法であることが考えられ、塞ぎ板の一辺の寸法を、想定される木枠の一辺の寸法の最大寸法に近い寸法としておき、美観上の配慮から、塞ぎ板を木枠に固着して取り付ける前、或いは、塞ぎ板を木枠に固着して取り付けた後において、木枠の一辺の寸法に応じて塞ぎ板の一辺の寸法を調整する必要が生じる。
【０００６】
木枠の一辺の寸法に応じて塞ぎ板の一辺の寸法を調整するには、木枠の一辺の寸法に応じて塞ぎ板を切断し余分の塞ぎ板を除去することが考えられ、塞ぎ板を木枠に固着して取り付けた後における塞ぎ板の切断作業には木枠が据付けられている周囲の壁が作業の邪魔になるため、塞ぎ板を木枠に固着して取り付ける前において塞ぎ板の切断作業をすることになるが、この塞ぎ板には金属製のダクトを一体に備えているので、金属製のダクトを一体に備えた塞ぎ板の重量は重く、また、金属製のダクトを一体に備えた塞ぎ板の寸法は大きいものであり、金属製のダクトを一体に備えた塞ぎ板の取扱いには煩わしさを伴うものであり、上記切断作業の簡便化が望まれていた。
【０００７】
また、金属製のダクトを一体に備えた塞ぎ板の寸法が大きいものであることに起因して、金属製のダクトを一体に備えた塞ぎ板の梱包容器の寸法も大きくなるものであり、梱包容器の小型化が望まれているものでもあった。
【０００８】
本発明はこれらの事情に鑑みてなされたものであって、その目的とするところは、既設の換気装置を新設の排気ダクト付き換気装置に取り替える作業が簡単に行え、しかも、その梱包容器が小型化できるようにした換気装置取替用ユニットを提供することにある。
【課題を解決するための手段】
【０００９】
前記の課題を解決するために、請求項１に係る発明は、
居室の室内側と室外側とを仕切る外壁に設けた取り付け孔に既に設置された換気装置を取り外し、排気ダクトを通して室内の空気の排気を行う排気ダクト付き換気装置を設置する際に用いられる換気装置取替用ユニットであって、前記取り付け孔を閉塞する閉塞板、および、前記排気ダクトの一部を構成し鍔部を具備する中継ダクトを備え、前記閉塞板には、前記中継ダクトが前記室内側から前記室外側に貫通する中継ダクト貫通孔を具備し、さらに、前記閉塞板には、前記鍔部に具備する被係止片を係止する係止部を備え、前記中継ダクトが前記室内側から前記室外側に貫通して前記鍔部が前記閉塞板の前記室内側の表面に沿って配設された状態において、前記中継ダクトは、前記被係止片が前記係止部に係止されない第１位置から前記係止部による前記被係止片の係止が完了する第２位置に向けて、前記中継ダクトの外周を前記中継ダクト貫通孔の周縁に摺接しながら回動自在に構成され、前記中継ダクトが前記第２位置に位置するときに前記鍔部の前記閉塞板からの離隔を牽制する離隔牽制手段を前記係止部に備え、前記中継ダクトが前記第２位置に位置するときに前記中継ダクトの前記第２位置から前記第１の位置に向けての回動を牽制する回動牽制手段を備え、
前記鍔部の外形が略矩形であり、前記鍔部における４隅の角のうち少なくとも対角方向に対向する２箇所を含む角の近傍を前記被係止片とし、前記閉塞板の前記室内側の表面から前記室内側に向けて立ち上がる立上り部と、前記立上り部から前記閉塞板の前記室内側の表面と沿う方向に延びる並行部と、を有する舌片を前記係止部とし、前記４隅の角のうち３箇所の角の近傍を前記被係止片とし、前記回動牽制手段が、前記４隅の角のうちの前記３箇所の角を除いた角の近傍を前記鍔部に固定用ネジによって固定するものであることを特徴としている。
【００１０】
このような構成とすることで、既設の換気装置を取り外した後に残る取り付け孔を、上記中継ダクトが貫通する貫通孔が設けられているものの中継ダクトとは別体の閉塞板で塞ぎ、その後でこの閉塞板に中継ダクトを取り付けることで、閉塞板と中継ダクトの取り付けが行えるものであるので、閉塞板と中継ダクトの取り付けが簡単に行うことができる。
【００１１】
つまり、閉塞板は中継ダクトとは別体であるから閉塞板に中継ダクトを予め備えている場合に比べて軽量であり、その取扱いが容易になり、施工が容易に行えるものとなる。
【００１２】
しかも、閉塞板に中継ダクトを取り付ける際には、中継ダクトを、上記被係止片が上記係止部に係止されない第１位置から上記係止部による上記被係止片の係止が完了する第２位置に向けて、中継ダクトの外周を前記中継ダクト貫通孔の周縁に摺接しながら回動させることによって行えるものであるから、閉塞板に設けた中継ダクト貫通孔に中継ダクトを室内側から貫通させた後、閉塞板に対して室内側から室外側に向けて印加される力を極力抑えて閉塞板への中継ダクトの取り付けが行えるから、板厚が薄い板材によって閉塞板を形成しても強度上の問題が生じにくいから、閉塞板の板厚が厚くなることに起因したコストの上昇が抑制できる。
【００１３】
つまり、閉塞板に設けた中継ダクト貫通孔に中継ダクトを室内側から貫通させた後、閉塞板に中継ダクトを取り付ける際に閉塞板に対して室内側から室外側に向けて印加される力が大きい場合には、閉塞板に変形が生じてしまい、取り付け孔が閉塞板によって十分密着しないことによる室内側と室外側との間のシール不足や、閉塞板の変形によって美観を損なう事態が生じるおそれがあるが、本発明による閉塞板への中継ダクトの取り付けは中継ダクトの外周を前記中継ダクト貫通孔の周縁に摺接しながらの中継ダクトの回動によるものであるから、閉塞板に対して室内側から室外側に向けて印加される力が抑制できるものである。
【００１４】
さらに、中継ダクトと閉塞板とは別体としてあるから、閉塞板に中継ダクトを予め備えている場合に比べて梱包状態における中継ダクトと閉塞板の配置に関する自由度が増すことになり、閉塞板に中継ダクトを予め備えている場合に比べて梱包容器が小型化でき、梱包容器の保管場所の節約、梱包容器のコストが低減できる。
【００１５】
要するに、請求項１のように構成することで、施工が容易に行え、梱包容器が小型化でき、コストの上昇が抑制できるものとなる。
【００１６】
また、請求項１に係る発明は、前記鍔部の外形が略矩形であり、前記鍔部における４隅の角のうち少なくとも対角方向に対向する２箇所を含む角の近傍を前記被係止片とし、前記閉塞板の前記室内側の表面から前記室内側に向けて立ち上がる立上り部と、前記立上り部から前記閉塞板の前記室内側の表面と沿う方向に延びる並行部と、を有する舌片を前記係止部とすることを特徴とする。
【００１７】
この場合、上記鍔部の外形が略矩形であるため鍔部を形成する際の材料取りの歩留まりが向上し、そのようにして形成した鍔部における４隅の角のうち少なくとも対角方向に対向する２箇所を含む角の近傍を前記被係止片とし、閉塞板の室内側の表面から室内側に向けて立ち上がる立上り部とこの立上り部から閉塞板の室内側の表面と沿う方向に延びる並行部とを有する舌片によって係止部を構成するだけであるから、被係止片と係止部が簡単に構成できる。
【００１８】
また、請求項２に係る発明は、請求項１に係る発明において、前記並行部の先端には、先端側ほど前記閉塞板からの距離が大となる舌片用傾斜部を設けて成ることを特徴とするものである。
【００１９】
この場合、中継ダクトが上記第１位置から上記第２位置の間の途中位置に位置するときに係止部による被係止片の係止を開始する時点における、係止部と被係止片との不要な干渉が防止できて、上記途中位置から上記第２位置に向けての中継ダクトの回動が円滑に行えるものとなる。
【００２０】
また、請求項３に係る発明は、請求項１または請求項２に係る発明において、前記中継ダクトが前記第１位置から前記第２位置の間の途中位置に位置するときに前記係止部による前記被係止片の係止を開始してから、前記中継ダクトが前記第２位置に近づくにつれて前記被係止片を前記閉塞板の前記室内側の表面に向けて圧接する、被係止片用傾斜部を前記被係止片に設けて成ることを特徴とするものである。
【００２１】
この場合、上記途中位置に位置する中継ダクトを第２位置に向けて回動させることで、被係止片が閉塞板の室内側の表面に向けて圧接されることで被係止片を備える前記鍔部全体が閉塞板の室内側の表面に向けて圧接されることになり、中継ダクトを第２位置に向けて回動させることで前記鍔部全体が閉塞板の室内側の表面に向けて圧接できることになり、閉塞板と前記鍔部との間が良好にシールできるものであるが、このとき、前記鍔部全体を閉塞板の室内側の表面に向けて圧接するための力と同じ大きさで逆向きの力が、閉塞板に備える係止部に加わることになるので、閉塞版に加えられる前記鍔部全体を閉塞板の室内側の表面に向けて圧接するための力とこれと同じ大きさで逆向きの力が打ち消し合うことになり、前記鍔部全体を閉塞板の室内側の表面に向けて圧接するために、閉塞板の外部からは特別に、前記鍔部全体を閉塞板の室内側の表面に向けて圧接する方向への力を印加する必要がないから、板厚が薄い板材によって閉塞板を形成しても強度上の問題が生じにくいものとなり、閉塞板の板厚が厚くなることに起因したコストの上昇が抑制できる。
【００２２】
要するに、請求項３のように構成することで、閉塞板の板厚が厚くなることに起因したコストの上昇を抑制しながら、閉塞板と前記鍔部との間が良好にシールできるものとなる。
【００２３】
また、請求項１に係る発明は、前記４隅の角のうち３箇所の角の近傍を前記被係止片とし、前記回動牽制手段が、前記４隅の角のうちの前記３箇所の角を除いた角の近傍を前記鍔部に固定用ネジによって固定するものであることを特徴とする。
【００２４】
この場合、前記鍔部に固定用ネジによって固定する簡単な構成を回動牽制手段とすることができる。また、略矩形の前記鍔部の４隅の角のうち３箇所の角の近傍を被係止片として係止部によって係止され、４隅の角のうち被係止片として係止部によって係止される３箇所の角を除いた残りの角の近傍が回動牽制手段を構成要素である固定用ネジによって固定されることになり、略矩形の前記鍔部の４隅の角の全てが閉塞板に係止または固定されるから、閉塞板への前記鍔部の取り付けをより堅固なものとすることができる。
【発明の効果】
【００２５】
本発明のうち請求項１記載の発明によって、施工が容易に行え、また、梱包容器が小型化できるものであり、コストの上昇も抑制できる。
【００２６】
請求項１記載の発明によって、被係止片と係止部が簡単に構成でき、しかも、鍔部を形成する際の材料取りの歩留まりが向上しコスト面でも有利となる。
【００２７】
請求項２記載の発明によって、中継ダクトが上記第１位置から上記第２位置の間の途中位置に位置するときに係止部による被係止片の係止を開始する時点における、係止部と被係止片との不要な干渉が防止できて、上記途中位置から上記第２位置に向けての中継ダクトの回動が円滑に行える。
【００２８】
請求項３記載の発明によって、閉塞板の板厚が厚くなることに起因したコストの上昇を抑制しながら、閉塞板と前記鍔部との間が良好にシールできる。
【００２９】
請求項１記載の発明によって、回動牽制手段が簡単に構成できて、しかも、閉塞板への前記鍔部の取り付けをより堅固なものとすることができる。
【図面の簡単な説明】
【００３０】
【図１】本発明の換気装置取替用ユニットが適用される既設の換気装置の取り付け状態の一例の断面図である。
【図２】既設の換気装置を取り外した状態で本発明の一実施形態の換気装置取替用ユニットの取り付け途中の断面図である。
【図３】本発明の一実施形態の換気装置取替用ユニットの取り付け途中の斜視図である。
【図４】同上の換気装置取替用ユニットの取り付け途中の斜視図である。
【図５】同上の換気装置取替用ユニットの取り付け途中の室内側から見た正面図である。
【図６】同上の換気装置取替用ユニットの取り付け途中の室内側から見た正面図である。
【図７】同上の換気装置取替用ユニットの取り付け後の室内側から見た正面図である。
【図８】同上の換気装置取替用ユニットの取り付け後の側面図である。
【図９】同上の換気装置取替用ユニットの取り付け後の拡大側面図である。
【発明を実施するための形態】
【００３１】
以下、本発明の実施の形態について、図面を参照しながら説明する。
【００３２】
一般に、図１に示すように、建物の外壁０１の取り付け孔０２内に木枠０３が挿入して取り付けてあり、この木枠０３に既設の換気装置０４を取り付けてある。木枠０３が用いられない場合もある。
この既設の換気装置０４は、モータで駆動されるプロペラファンを用いた、所謂、換気扇と呼ばれる換気装置で、その外装が木枠０３に室内側から固着具で固着して取り付けてあり、外壁０１の室外側の面０１ｂには防雨フード０７が取り付けてある。
なお、図１において既設の換気装置０４は従来の換気扇と同様で周知あるから、外形のみを２点鎖線（仮想線）で示しその内部構造の図示は省略してある。
【００３３】
図１に示す既設の換気装置０４を排気ダクト４１によって排気を排出する排気ダクト付き換気装置４０に取り替える方法を説明する。
図１に示す既設の換気装置０４を室内側から取り外し、図２に示すように木枠０３が用いられている場合は木枠０３を残存させる。また、防雨フード０７も残存させる。
【００３４】
この後に、図２に示すように木枠０３に、換気装置取替用ユニット０８の一部を構成する閉塞板１０を図示しない取付けネジの木枠０３への螺入により取り付ける。なお、木枠０３が用いられていない場合は、外壁０１の室内側の面０１ａにカールプラグ等を用いて閉塞板１０を図示しない取付けネジの外壁０１（カールプラグ）への螺入により取り付ける。
【００３５】
換気装置取替用ユニット０８は、外壁０１に既設の換気装置０４の取り付け用に設けられた取り付け孔０２を閉塞する上記閉塞板１０と、この閉塞板１０とは別体に、図３に示す中継ダクト２０とを備えており、図３に示すように、この閉塞板１０には中継ダクト２０が室内側から室外側に貫通する中継ダクト貫通孔１４が穿設してある。また、中継ダクト２０には略矩形の鍔部３０（図３、図４、図５、図６、図７）を備えており、また、図３、図４、図５、図６、図７に示すように、この鍔部３０の４隅の角のうち３箇所の角３２の近傍を、後述する係止部１１によって係止されることになる被係止片３１としてあり、また閉塞板１０には、後述するように中継ダクト２０を閉塞板１０の室内側の面１０ａから室外側の面１０ｂに貫通させて鍔部３０が閉塞板１０の室内側の面１０ａに沿って配設させた後に被係止片３１が係止されることになる係止部１１を３箇所に備えており(図３〜図７参照)、上述のようにして木枠０３に取り付けた閉塞板１０が備える中継ダクト貫通孔１４に中継ダクト２０を室内側から貫通させて（図３参照）、その後、室内側の面１０ａに鍔部３０が沿うように配設する。（図４、図５参照。）
【００３６】
このとき、中継ダクト２０は、図４、図５に示すように、被係止片３１が係止部１１に係止されない第１位置となるようにしておき、その後、図６に示すように中継ダクト２０を、鍔部３０が閉塞板１０の室内側の面１０ａに沿って配設された状態において中継ダクト２０の外周を中継ダクト貫通孔１４の周縁に摺接させながら、係止部１１による被係止片３１の係止が十分に行われて係止が完了する第２位置となるまで回動させる。（図６、図７参照。）
【００３７】
なお、係止部１１は、図５、図６、図７、図８、図８におけるＡ部の拡大図である図９（ａ）、図８におけるＢ部の拡大図である図９（ｂ）に示すように、閉塞板１０の室内側の面１０ａから室内側に向けて立ち上がる立上り部１２と、立上り部１２から閉塞板１０の室内側の面１０ａと沿う方向に延びる並行部１３と、を有する舌片であり、並行部１３の先端には、先端側ほど閉塞板１０からの距離が大となる舌片用傾斜部１５を設けてあり、舌片用傾斜部１５によって中継ダクト２０が上記第１位置から上記第２位置の間の途中位置に位置するときに係止部１１による被係止片３１の係止を開始する時点における、係止部１１と被係止片３１との不要な干渉が防止できて、上記途中位置から上記第２位置に向けての中継ダクト２０の回動が円滑に行える。
【００３８】
また、中継ダクト２０が上記第１位置から上記第２位置の間の途中位置に位置するときに係止部１１による被係止片３１の係止を開始してから、中継ダクト２０が上記第２位置に近づくにつれて被係止片３１を閉塞板１０の室内側の面１０ａに向けて圧接する、被係止片用傾斜部３４を被係止片３１に設けてあり、中継ダクト２０を上記第１位置から上記第２位置に向けて回動させるだけで、被係止片３１が閉塞板１０の室内側の面１０ａに向けて圧接されるから、閉塞板１０の室内側の面１０ａから室外側の面１０ｂに向けて外部から力を加えることなく鍔部３０と閉塞板１０とのシールが良好に行えることになり、閉塞板１０の室内側の面１０ａから室外側の面１０ｂに向けて外部から力を加える必要がある場合と比べて閉塞板１０の板厚を薄くできることになり、閉塞板１０の板厚が厚くなることに起因したコストの上昇を抑制しながら、閉塞板１０と鍔部３０との間が良好にシールできるものとなっている。
【００３９】
中継ダクト２０が上記第２の位置にあるとき、つまり、上記４隅の角のうち３箇所の角３２の近傍の被係止片３１が係止部１１によって係止された状態で、鍔部３０における上記４隅の角のうちの３箇所の角３２を除いた角の近傍には、固定用ネジ挿通孔３３が穿設してあり（図５、図６参照）、固定用ネジ挿通孔３３に固定用ネジ５０を挿通した後、閉塞板１０に設けた固定用ネジ５０の螺入用のメネジ１６（図５）に固定用ネジ５０を螺入して、固定用ネジ５０によって鍔部３０を閉塞板１０に固定することで、中継ダクト２０が上記第２位置に位置するときに中継ダクト２０の上記第２位置から上記第１の位置に向けての回動が牽制阻止されて、中継ダクト２０が上記第２位置に位置するときに、並行部１３によって鍔部３０の閉塞板１０からの離隔が牽制阻止される状態が安定に維持されて、中継ダクト２０は閉塞板１０から容易に外れることがないものとなり、本発明による換気装置取替用ユニット０８の取り付けが完了する。
【００４３】
また、上記実施例において備える舌片用傾斜部１５および被係止片用傾斜部３４の一方またはその両方を備えなくてもよい。
【符号の説明】
【００４４】
０１    外壁
０１ａ  外壁の室内側の面
０１ｂ  外壁の室外側の面
０２    取り付け孔
０３    木枠
０４    既設の換気装置
０７    防雨フード
０８    換気装置取替用ユニット
１０    閉塞板
１０ａ  閉塞板の室内側の面
１０ｂ  閉塞板の室外側の面
１１    係止部
１２    立上り部
１３    並行部
１４    中継ダクト貫通孔
１５    舌片用傾斜部
１６    螺入用のメネジ
２０    中継ダクト
３０    鍔部
３１    被係止片
３２    ３箇所の角
３３    固定用ネジ挿通孔
３４    被係止片用傾斜部
４０    排気ダクト付き換気装置
４１    排気ダクト
５０    固定用ネジ
【図１】
0005864187.tif 000002
【図２】
0005864187.tif 000003
【図３】
0005864187.tif 000004
【図４】
0005864187.tif 000005
【図５】
0005864187.tif 000006
【図６】
0005864187.tif 000007
【図７】
0005864187.tif 000008
【図８】
0005864187.tif 000009
【図９】
0005864187.tif 000010